(57)【要約】【課題】暖房器５０・６０運転時、バイパス流路４４から戻り流路４６側へ流れ込む高温水を極力少なくする。【解決手段】バイパス流路４４よりも暖房器５０・６０寄りで２次側流体回路４０内の流体の流通を検出するフロースイッチ４８と、バイパス流路４４の流通を制限する絞り弁４７とを設け、フロースイッチ４８にて流通が検出される時には絞り弁４７にてバイパス流路４４の流通を制限し、フロースイッチ４８にて流通が検出されない時には絞り弁４７を解除してバイパス流路４４を流通するようにした。これにより、暖房器５０・６０運転時には、絞り弁４７にてバイパス流路４４の流通を制限してバイパス流路４４から戻り流路４６側へ流れ込む高温水を極力少なくすることができ、１次側温水回路３０の図示しない貯湯槽へ戻る温水の温度が低くなり、貯湯槽に貯湯する熱源装置の沸き上げ時の成績係数（ＣＯＰ）が向上する。【選択図】        図１
2004198056.tif 000002
【特許請求の範囲】
【請求項１】
高温の湯を１次側に流通させて２次側の流体を加熱する熱交換手段（３１）を有し、高温の湯を前記熱交換手段（３１）に供給する１次側温水回路（３０）と、
前記熱交換手段（３１）で加熱された流体を暖房器（５０、６０）に供給する供給流路（４３）、前記暖房器（５０、６０）から戻る流体を前記熱交換手段（３１）へ供給する戻り流路（４６）、前記暖房器（５０、６０）を迂回して両流路（４３、４６）を短絡するバイパス流路（４４）とからなる２次側流体回路（４０）と、
前記１次側温水回路（３０）に供給する高温の湯および前記２次側流体回路（４０）に循環させる流体を制御する温水制御手段（２２）とを備える給湯式暖房装置において、
前記バイパス流路（４４）よりも前記暖房器（５０、６０）寄りで前記２次側流体回路（４０）内の流体の流通を検出する流通検出手段（４８）と、前記バイパス流路（４４）の流通を制限する流通制限手段（４７）とを設け、
前記温水制御手段（２２）は、前記流通検出手段（４８）にて流通が検出される時には前記流通制限手段（４７）にて前記バイパス流路（４４）の流通を制限し、前記流通検出手段（４８）にて流通が検出されない時には前記流通制限手段（４７）を解除して前記バイパス流路（４４）を流通するようにしたことを特徴とする給湯式暖房装置。
【請求項２】
前記流通検出手段（４８）にフロースイッチもしくは流量カウンタを用いたことを特徴とする請求項１に記載の給湯式暖房装置。
【請求項３】
高温の湯を１次側に流通させて２次側の流体を加熱する熱交換手段（３１）を有し、高温の湯を前記熱交換手段（３１）に供給する１次側温水回路（３０）と、
前記熱交換手段（３１）で加熱された流体を暖房器（５０、６０）に供給する供給流路（４３）、前記暖房器（５０、６０）から戻る流体を前記熱交換手段（３１）へ供給する戻り流路（４６）、前記暖房器（５０、６０）を迂回して両流路（４３、４６）を短絡するバイパス流路（４４）とからなる２次側流体回路（４０）と、
前記１次側温水回路（３０）に供給する高温の湯および前記２次側流体回路（４０）に循環させる流体を制御する温水制御手段（２２）とを備える給湯式暖房装置において、
前記戻り流路（４６）を流通する流体の温度を検知する戻り側温度検知手段（４５）と、前記バイパス流路（４４）の流通を制限する流通制限手段（４７）とを設け、
前記温水制御手段（２２）は、前記戻り側温度検知手段（４５）にて検出される流体の温度が所定閾値以下の時には前記流通制限手段（４７）にて前記バイパス流路（４４）の流通を制限し、前記戻り側温度検知手段（４５）にて検出される流体の温度が所定閾値を越える時には前記流通制限手段（４７）解除して前記バイパス流路（４４）を流通するようにしたことを特徴とする給湯式暖房装置。
【請求項４】
前記流通制限手段（４７）に絞り弁を用いたことを特徴とする請求項１または請求項３に記載の給湯式暖房装置。
【請求項５】
高温の湯を１次側に流通させて２次側の流体を加熱する熱交換手段（３１）を有し、高温の湯を前記熱交換手段（３１）に供給する１次側温水回路（３０）と、
前記熱交換手段（３１）で加熱された流体を暖房器（５０、６０）に供給する供給流路（４３）、前記暖房器（５０、６０）から戻る流体を前記熱交換手段（３１）へ供給する戻り流路（４６）、前記暖房器（５０、６０）を迂回して両流路（４３、４６）を短絡するバイパス流路（４４）とからなる２次側流体回路（４０）と、
前記１次側温水回路（３０）に供給する高温の湯および前記２次側流体回路（４０）に循環させる流体を制御する温水制御手段（２２）とを備える給湯式暖房装置において、
前記バイパス流路（４４）に前記供給流路（４３）側の圧力に応じて前記戻り流路（４６）側へ流通する流体の流量を可変する圧力流量可変手段（４９）を設けたことを特徴とする給湯式暖房装置。
【請求項６】
前記圧力流量可変手段（４９）にばね圧により流量を可変する逆止弁を用いたことを特徴とする請求項５に記載の給湯式暖房装置。
【発明の詳細な説明】
【０００１】
【発明の属する技術分野】
本発明は、高温の湯で２次側流体を加熱すると共に、その加熱された流体を暖房器へ供給して室内暖房等を行なう給湯式暖房装置に関する。
【０００２】
【従来の技術】
図６は、従来の給湯式暖房装置部分の構成を示す模式図である。従来の装置では、一般的に図６に示すような回路で給湯暖房が行われている（例えば、特許文献１）。これは、高温の湯を１次側温水回路３０に流通させ、熱交換器３１で加熱された２次側流体を供給流路４３から暖房器（例えば、床暖房器５０および浴室暖房乾燥器６０）へ供給するものである。
【０００３】
４４は、暖房器５０・６０を迂回して両流路４３・４６を短絡するバイパス流路であり、暖房器５０・６０の温度調節手段である図示しない熱動弁（開閉弁）が閉じた時に流体はバイパス流路４４を流通して２次側循環ポンプ４２を保護するようになっている。
【０００４】
【特許文献１】
特開２００２−２２８１６７号公報
【０００５】
【発明が解決しようとする課題】
しかしながら、上記従来の給湯式暖房装置を、例えば貯湯式給湯装置に接続して用いると、バイパス流路４４があることにより暖房器５０・６０へ行く高温水が戻り流路４６側へ流れ込んで熱交換器３１へ戻る流体の温度が高くなる。すると、１次側温水回路３０の図示しない貯湯槽へ戻る温水の温度も高くなり、貯湯槽に貯湯する熱源装置の沸き上げ時の成績係数（ＣＯＰ）が悪化するという問題がある。
【０００６】
しかし、バイパス流路４４を狭くしたり無くしたりすると、熱動弁が閉じた時に２次側循環ポンプ４２に高負荷が掛かって寿命が落ちるという問題が生じる。そこで、本発明は上記従来の問題に鑑みて成されたものであり、その目的は、暖房器運転時、バイパス流路４４から戻り流路４６側へ流れ込む高温水を極力少なくすることのできる給湯式暖房装置を提供することにある。
【０００７】
【課題を解決するための手段】
上記目的を達成するために、請求項１ないし請求項６に記載の技術的手段を採用する。すなわち、請求項１に記載の発明では、高温の湯を１次側に流通させて２次側の流体を加熱する熱交換手段（３１）を有し、高温の湯を熱交換手段（３１）に供給する１次側温水回路（３０）と、熱交換手段（３１）で加熱された流体を暖房器（５０、６０）に供給する供給流路（４３）、暖房器（５０、６０）から戻る流体を熱交換手段（３１）へ供給する戻り流路（４６）、暖房器（５０、６０）を迂回して両流路（４３、４６）を短絡するバイパス流路（４４）とからなる２次側流体回路（４０）と、１次側温水回路（３０）に供給する高温の湯および２次側流体回路（４０）に循環させる流体を制御する温水制御手段（２２）とを備える給湯式暖房装置において、
バイパス流路（４４）よりも暖房器（５０、６０）寄りで２次側流体回路（４０）内の流体の流通を検出する流通検出手段（４８）と、バイパス流路（４４）の流通を制限する流通制限手段（４７）とを設け、温水制御手段（２２）は、流通検出手段（４８）にて流通が検出される時には流通制限手段（４７）にてバイパス流路（４４）の流通を制限し、流通検出手段（４８）にて流通が検出されない時には流通制限手段（４７）を解除してバイパス流路（４４）を流通するようにしたことを特徴としている。
【０００８】
これにより、流通検出手段（４８）にて２次側流体回路（４０）内の流体の流通が検出される時、いわゆる暖房器（５０、６０）運転時には、流通制限手段（４７）にてバイパス流路（４４）の流通を制限してバイパス流路（４４）から戻り流路（４６）側へ流れ込む高温水を極力少なくすることができ、１次側温水回路（３０）の図示しない貯湯槽へ戻る温水の温度を低くでき、貯湯槽に貯湯する熱源装置の沸き上げ時の成績係数（ＣＯＰ）を向上することができる。
【０００９】
また、流通検出手段（４８）にて２次側流体回路（４０）内の流体の流通が検出されない時、いわゆる暖房器（５０、６０）の運転停止時には、流通制限手段（４７）を解除してバイパス流路（４４）を流通するようにしてバイパス流路（４４）から戻り流路（４６）側へ高温水を迂回させ、２次側循環ポンプ（４２）を保護することができる。
【００１０】
請求項２に記載の発明では、流通検出手段（４８）にフロースイッチもしくは流量カウンタを用いたことを特徴としている。これにより、２次側流体回路（４０）内の流体の流通を容易に検出することができる。
【００１１】
請求項３に記載の発明では、戻り流路（４６）を流通する流体の温度を検知する戻り側温度検知手段（４５）と、バイパス流路（４４）の流通を制限する流通制限手段（４７）とを設け、温水制御手段（２２）は、戻り側温度検知手段（４５）にて検出される流体の温度が所定閾値以下の時には流通制限手段（４７）にてバイパス流路（４４）の流通を制限し、戻り側温度検知手段（４５）にて検出される流体の温度が所定閾値を越える時には流通制限手段（４７）解除してバイパス流路（４４）を流通するようにしたことを特徴としている。
【００１２】
これにより、戻り側温度検知手段（４５）にて検出される流体の温度が所定閾値以下の時、いわゆる暖房器（５０、６０）運転時には、流通制限手段（４７）にてバイパス流路（４４）の流通を制限してバイパス流路（４４）から戻り流路（４６）側へ流れ込む高温水を極力少なくすることができ、１次側温水回路（３０）の図示しない貯湯槽へ戻る温水の温度を低くでき、貯湯槽に貯湯する熱源装置の沸き上げ時の成績係数（ＣＯＰ）を向上することができる。
【００１３】
また、戻り側温度検知手段（４５）にて検出される流体の温度が所定閾値を越える時、いわゆる暖房器（５０、６０）の運転停止時には、流通制限手段（４７）を解除してバイパス流路（４４）を流通するようにしてバイパス流路（４４）から戻り流路（４６）側へ高温水を迂回させ、２次側循環ポンプ（４２）を保護することができる。
【００１４】
請求項４に記載の発明では、流通制限手段（４７）に絞り弁を用いたことを特徴としている。これにより、バイパス流路（４４）の流通を制限したり、解除してバイパス流路（４４）を流通するようにしたりすることが容易にできる。
【００１５】
請求項５に記載の発明では、バイパス流路（４４）に供給流路（４３）側の圧力に応じて戻り流路（４６）側へ流通する流体の流量を可変する圧力流量可変手段（４９）を設けたことを特徴としている。これにより、供給流路（４３）側の圧力が低い時、いわゆる暖房器（５０、６０）運転時には、圧力流量可変手段（４９）にてバイパス流路（４４）の流量が制限されてバイパス流路（４４）から戻り流路（４６）側へ流れ込む高温水を極力少なくすることができ、１次側温水回路（３０）の図示しない貯湯槽へ戻る温水の温度を低くでき、貯湯槽に貯湯する熱源装置の沸き上げ時の成績係数（ＣＯＰ）を向上することができる。
【００１６】
また、供給流路（４３）側の圧力が高い時、いわゆる暖房器（５０、６０）の運転停止時には、圧力流量可変手段（４９）にてバイパス流路（４４）の流量が増えることによりバイパス流路（４４）から戻り流路（４６）側へ高温水が迂回され、２次側循環ポンプ（４２）を保護することができる。
【００１７】
請求項６に記載の発明では、圧力流量可変手段（４９）にばね圧により流量を可変する逆止弁を用いたことを特徴としている。これにより、供給流路（４３）側の圧力に応じて戻り流路（４６）側へ流通する流体の流量を容易に可変することができる。また、機械的に作用するため電気制御が不要となる。尚、上記各手段の括弧内の符号は、後述する実施形態の具体的手段との対応関係を示すものである。
【００１８】
【発明の実施の形態】
（第１実施形態）
以下、本発明を適用した第１実施形態の多機能給湯装置を、図１に基づいて説明する。図１は、多機能給湯装置の概略構成を示す模式図である。本実施形態の多機能給湯装置は、図１に示すように、貯湯式給湯装置１０、給湯式暖房装置２０、および暖房器である床暖房ユニット５０と浴室暖房乾燥器６０等から構成されている。
【００１９】
貯湯式給湯装置１０は、ヒートポンプサイクルからなる熱源装置であるヒートポンプ式給湯装置１１、このヒートポンプ式給湯装置１１により加熱された給湯用の湯を貯える貯湯槽１２、貯えた湯を給湯対象個所へ導くための給湯配管１３、およびこれらを制御する給湯制御装置1００等から構成されている。ヒートポンプ式給湯装置１１は、当給湯装置１１の前後に、貯湯槽１２内の最下部の水を吸い込むための吸入管１４ｂ、加熱した高温の湯を貯湯槽１２内の最上部に吐出するための吐出管１４ａ、および貯湯槽１２からなる循環回路の一部である。
【００２０】
冷媒に二酸化炭素（ＣＯ２）を用い、図示しない圧縮機、熱交換器などの冷凍サイクル機能部品より構成され、貯湯槽１２内最下部から吸入した水を高温のＣＯ２冷媒との熱交換により加熱して貯湯槽１２内最上部に戻すことにより貯湯槽１２内の水を沸き上げることができるようになっている。尚、冷媒にＣＯ２を採用すると、超臨界域を用いることで図示しない圧縮機からの冷媒吐出温度を高くすることができる。従って、フロン冷媒などを採用した場合よりも高温の湯（例えば、８０〜９０℃程度）を効率よく沸き上げることができる。
【００２１】
また、ヒートポンプ式給湯装置１１は、主に電気料金の安い深夜時間帯の深夜電力の交流電源を用いて貯湯槽１２内の水を沸き上げる蓄熱運転を行なっているが、昼間時間帯においても、貯湯槽１２内の貯えた湯が低下してくると、沸き上げ運転を行なうように制御されている。尚、ヒートポンプ式給湯装置１１は、給湯制御装置１００からの制御信号により作動すると共に、作動状態を給湯制御装置１００に出力するように接続されている。
【００２２】
次に、貯湯槽１２は、耐食性に優れた金属製（例えば、ステンレス製）の容器であり、外周部に図示しない断熱材が配置されており、高温の湯を長時間に渡って保温することができるようになっている。貯湯槽１２は縦長形状であり、その底面には導入口１２ｂが設けられ、この導入口１２ｂには貯湯槽１２内の下部に水道水を導入する給水経路である給水配管１５が接続されている。
【００２３】
給水配管１５には、給水配管１５内を流れる水道水の水温を検出する図示しない給水サーミスタが設けられ、検出された温度情報を給湯制御装置１００に出力するようになっている。また、給水配管１５には、導入される水道水の水圧が所定圧となるように調節する図示しない減圧弁が設けられている。
【００２４】
さらに、給水配管１５の下流端は、導入口１２ｂの他に、後述する混合弁１６の一方の入口側にも繋がれており、貯湯槽１２と混合弁１６に水道水を導入するように構成されている。一方、貯湯槽１２の最上部には導出口１２ａが設けられ、この導出口１２ａには貯湯槽１２内の湯を導出するための給湯経路である給湯配管１３が接続されている。
【００２５】
また、給湯配管１３には、使用者が設定した設定温度に温度調節する混合弁１６が設けられている。この混合弁１６は、給湯配管１３の下流端に設けられた給湯水栓（図示せず）が開弁したときに、開口面積比を調節することにより、導出口１２ａから導出された高温の湯と、給水配管１５から導入された水道水との混合比を調節できる温度調節弁である。
【００２６】
また、この混合弁１６は、サーボモータなどの駆動源により弁体を駆動して開度を調節する電動弁であり、給湯制御装置１００からの制御信号により作動すると共に、作動状態を給湯制御装置１００に出力するようになっている。また、混合弁１６の下流には出湯温度を検出する図示しない給湯サーミスタ、および給湯検出手段である図示しない流量カウンタが設けられ、検出された温度情報および流量情報を給湯制御装置１００に出力するようになっている。
【００２７】
尚、給湯配管１３の下流端は台所・洗面所・風呂等に配置された図示しない給湯水栓に通じており、給湯水栓を開弁した時に、設定温度に温度調節された湯が出湯されるものである。また、貯湯槽１２の外壁面には図示しない複数の水位サーミスタが縦方向（貯湯槽１２の高さ方向）にほぼ等間隔に配設され、貯湯槽１２内に満たされた水の各水位レベルでの温度情報を給湯制御装置１００に出力するようになっている。
【００２８】
従って、給湯制御装置１００は、水位サーミスタからの温度情報に基づいて、貯湯槽１２内上方の沸き上げた湯と、貯湯槽１２内下方の沸き上げられる前の水との境界位置を検出できるようになっている。尚、水位サーミスタの一つは、貯湯槽１２内の最上部外壁面に設けられており、導出口１２ａや後述する１次側温水回路３０に吸入される湯の温度である貯湯槽１２内最上部の湯温を検出する出湯サーミスタの機能も有している。
【００２９】
給湯制御装置１００は、ヒートポンプ式給湯装置１１および給水配管１５・貯湯槽１２・給湯配管１３に設けられた各サーミスタからの温度情報、流量カウンタからの流量情報、後述する給湯式暖房装置２０の運転信号、および操作パネル１０１からの操作信号に基づいて、ヒートポンプ式給湯装置１１および混合弁１６を制御するように構成されている。尚、操作パネル１０１は、浴室内や台所等湯を使用する場所の近傍に設置され、操作パネル１０１以外は屋外などの適所に配置されている。
【００３０】
次に、本発明の要部に係わる給湯式暖房装置２０の構成について説明する。１次側温水回路３０は、貯湯槽１２内に貯えられた温水を利用して、後述する暖房器としての床暖房ユニット５０および浴室暖房乾燥器６０に暖房のための流体を供給する循環回路である。
【００３１】
１次側温水回路３０は、熱交換手段である暖房用熱交換器３１と、この暖房用熱交換器３１の一次側に導出口１２ａから貯湯槽１２内の湯を流通させて貯湯槽１２の下方に戻すように配設された循環水通路３３と、この循環水通路３３に設けられた第１送水手段である第１循環ポンプ３２等により構成されている。
【００３２】
暖房用熱交換器３１は、対向流型の水―水熱交換器であり、循環水通路３３内に流れる貯湯槽１２内の高温の湯と、後述する２次側流体回路４０を循環する２次側流体とを熱交換するようになっている。また、第１循環ポンプ３２は、循環水通路３３内に貯湯槽１２の湯を循環するための送水ポンプであり、図示しない電動部がＤＣブラシレスモータにて形成され、回転数が複数段階に切り換え可能なポンプで、後述する温水制御手段である温水制御装置２２によりフィードバック制御（ＰＩＤ制御）により回転数が可変されるように制御される。
【００３３】
また、水温検出手段である水温サーミスタ３４は、暖房用熱交換器３１の下流側に設けられ、熱交換後の貯湯槽１２の下方に戻る水温を検出するセンサであって、検出された温度情報を温水制御装置２２に出力するようになっている。
【００３４】
２次側流体回路４０は、暖房用熱交換器３１から受熱した２次側流体の熱量を、暖房器である床暖房ユニット５０および浴室暖房乾燥器６０等に流通させる流体回路であって、上述した暖房用熱交換器３１と、この暖房用熱交換器３１で熱交換された２次側流体を暖房器５０・６０に供給する供給水路４３と、暖房器５０・６０からの戻り水を暖房用熱交換器３１に戻す戻り水路４６と、この戻り水路４６内に設けられた第２送水手段である第２循環ポンプ４２等により構成されている。
【００３５】
尚、第２循環ポンプ４２は、２次側流体を暖房用熱交換器３１から暖房器５０・６０に送水するための送水ポンプであって温水制御装置２２により制御される。４４は、暖房器５０・６０を迂回して両流路４３・４６を短絡するバイパス流路である。また、本発明の要部構成として、２次側流体回路４０内の流体の流通を検出するフロースイッチや流量カウンタ等の流通検出手段４８と、バイパス流路４４の流通を制御する絞り弁等の流通制限手段４７とを設けている。これらの作動については後述する。
【００３６】
暖房用熱交換器３１の入口近傍には、戻り側水温検出手段として水温サーミスタ４５が配設され、暖房用熱交換器３１に流入する２次側流体の温度情報を温水制御装置２２に出力するようになっている。また、暖房用熱交換器３１の出口近傍には、高温側水温検出手段として水温サーミスタ４１が配設され、暖房用熱交換器３１から流出する２次側流体の温度情報を温水制御装置２２に出力するようになっている。
【００３７】
次に、暖房器の例として、床暖房ユニット５０と浴室暖房乾燥器６０について説明する。まず床暖房ユニット５０は、床暖パネル５１内の配管５１ａに２次側流体を流通させて床を暖める暖房器であって、床暖パネル５１、床暖パネル５１に設けられ暖房温度を検出する暖房温度検出手段である床暖温度センサ５２、配管５１ａに流通する２次側流体の流通を開閉する温度調節手段としての熱動弁５３および温度制御手段である床暖制御装置２３等より構成されている。
【００３８】
温度調節手段である熱動弁５３は、床暖パネル５１の暖房出力を調節する開閉弁であって、使用者が設定した設定温度と、暖房温度検出手段である床暖温度センサ５２により検出された暖房温度との温度情報に基づいて床暖制御装置２３からの閉閉信号により制御される。
【００３９】
また、温度制御手段である床暖制御装置２３は、床暖操作盤２４からの操作信号と床暖温度センサ５２からの温度情報を入力して熱動弁５３を開閉制御する制御プログラムを有すると共に、床暖操作盤２４からの操作信号のうち運転信号が温水制御装置２２に出力されるようになっている。尚、床暖房ユニット５０は、例えば、洗面室や更衣室の床に設置されて暖房の用途に供されるものである。
【００４０】
次に、浴室暖房乾燥器６０について説明する。浴室暖房乾燥器６０は、２次側流体回路４０の供給水路４３に配設して、浴室内や更衣室等の暖房や浴室内の乾燥を行なう暖房器である。よって浴室内や更衣室等に温風を吹き出して暖房（乾燥）を行なうものであり、放熱器６１ａ、送風機６１ｂ、暖房温度を検出する暖房温度検出手段としての室温センサ６２、放熱器６１ａの暖房出力を調節する温度調節手段としての熱動弁６３、および温度制御手段である浴室暖房制御装置２５から構成されている。
【００４１】
熱動弁６３は、具体的には開閉弁であり、使用者が設定した設定温度と、室温センサ６２により検出される暖房温度との温度情報に基づいて浴室暖房制御装置２５からの閉閉信号により制御される。また、浴室暖房制御装置２５は、操作盤２６からの操作信号と室温センサ６２からの温度情報を入力して熱動弁６３を開閉制御する制御プログラムを有すると共に、操作盤２６からの操作信号のうち運転信号が温水制御装置２２に出力されるようになっている。
【００４２】
温水制御装置２２は、１次側温水回路３０に供給する貯湯槽１２内の湯、および２次側流体回路４０内を循環する２次側流体を制御する制御装置であって、制御装置２３・２５から暖房器５０・６０の運転信号、貯湯槽１２最上部の水位サーミスタ、および水温サーミスタ３４・４１・４５からの温度情報に基づいて第１循環ポンプ３２および第２循環ポンプ４２を制御するように構成されている。
【００４３】
次に、本発明要部の作動を、図２を用いて説明する。図２は、図１の装置における温水制御装置２２の制御処理を示すフローチャートである。給湯式暖房装置２０は、暖房器５０・６０の運転信号が入力されている間、循環ポンプ３２・４２を稼動して２次側流体回路４０内に高温流体を循環させる。そして、ステップＳ１でフロースイッチ４８がＯＮしているか否かを判定する。
【００４４】
その判定結果がＹＥＳ、つまり暖房器５０・６０の熱動弁５３・６３が開いていて流体が流通している場合はステップＳ２へ進み、絞り弁４７は作動の遅れに対応するため閉じ切らず微小に流通する程度に開ける。また、ステップＳ１での判定結果がＮＯ、つまり暖房器５０・６０の熱動弁５３・６３が閉じていて流体が流通していない場合にはステップＳ３へ進み、絞り弁４７を全開に開けるようにするものである。
【００４５】
次に、本実施形態での特徴について説明する。バイパス流路４４よりも暖房器５０・６０寄りで２次側流体回路４０内の流体の流通を検出するフロースイッチ４８と、バイパス流路４４の流通を制限する絞り弁４７とを設け、温水制御装置２２は、フロースイッチ４８にて流通が検出される時には絞り弁４７にてバイパス流路４４の流通を制限し、フロースイッチ４８にて流通が検出されない時には絞り弁４７を解除してバイパス流路４４を流通するようにしている。
【００４６】
これにより、フロースイッチ４８にて２次側流体回路４０内の流体の流通が検出される時、いわゆる暖房器５０・６０運転時には、絞り弁４７にてバイパス流路４４の流通を制限してバイパス流路４４から戻り流路４６側へ流れ込む高温水を極力少なくすることができ、１次側温水回路３０の図示しない貯湯槽へ戻る温水の温度を低くでき、貯湯槽に貯湯する熱源装置の沸き上げ時の成績係数（ＣＯＰ）を向上することができる。
【００４７】
また、フロースイッチ４８にて２次側流体回路４０内の流体の流通が検出されない時、いわゆる暖房器５０・６０の運転停止時には、絞り弁４７を解除してバイパス流路４４を流通するようにしてバイパス流路４４から戻り流路４６側へ高温水を迂回させ、２次側循環ポンプ４２を保護することができる。また、流通検出手段４８にはフロースイッチもしくは流量カウンタを用いている。これにより、２次側流体回路４０内の流体の流通を容易に検出することができる。
【００４８】
（第２実施形態）
図３は、本発明の第２実施形態における給湯式暖房装置部分の構成を示す模式図であり、上述した第１実施形態とは、フロースイッチ４８の替わりに戻り流路４６を流通する流体の温度を検知する戻り側水温サーミスタ４５で構成した点のみ異なる。それ以外のものは、第１実施形態で説明した構成と同じである。
【００４９】
次に、本発明要部の作動を、図４を用いて説明する。図４は、図３の装置における温水制御装置２２の制御処理を示すフローチャートである。給湯式暖房装置２０は、暖房器５０・６０の運転信号が入力されている間、循環ポンプ３２・４２を稼動して２次側流体回路４０内に高温流体を循環させる。そして、ステップＳ１１で水温サーミスタ４５にて検出される流体の温度が所定閾値（例えば、６０℃）以下であるか否かを判定する。
【００５０】
その判定結果がＹＥＳ、つまり暖房器５０・６０の熱動弁５３・６３が開いていて戻ってくる流体の温度が所定閾値以下である場合はステップＳ１２へ進み、絞り弁４７は作動の遅れに対応するため閉じ切らず微小に流通する程度に開ける。また、ステップＳ１１での判定結果がＮＯ、つまり暖房器５０・６０の熱動弁５３・６３が閉じていて戻ってくる流体の温度が所定閾値を越える場合にはステップＳ１３へ進み、絞り弁４７を全開に開けるようにするものである。
【００５１】
これにより、水温サーミスタ４５にて検出される流体の温度が所定閾値以下の時、いわゆる暖房器５０・６０運転時には、絞り弁４７にてバイパス流路４４の流通を制限してバイパス流路４４から戻り流路４６側へ流れ込む高温水を極力少なくすることができ、１次側温水回路３０の図示しない貯湯槽へ戻る温水の温度を低くでき、貯湯槽に貯湯する熱源装置の沸き上げ時の成績係数（ＣＯＰ）を向上することができる。
【００５２】
また、水温サーミスタ４５にて検出される流体の温度が所定閾値を越える時、いわゆる暖房器５０・６０の運転停止時には、絞り弁４７を解除してバイパス流路４４を流通するようにしてバイパス流路４４から戻り流路４６側へ高温水を迂回させ、２次側循環ポンプ４２を保護することができる。流通制限手段４７には絞り弁を用いている。これにより、バイパス流路４４の流通を制限したり、解除してバイパス流路４４を流通するようにしたりすることが容易にできる。
【００５３】
（第３実施形態）
図５は、本発明の第３実施形態における給湯式暖房装置部分の構成を示す模式図である。上述した第１・２実施形態とは、絞り弁４７の替わりに供給流路４３側の圧力に応じて戻り流路４６側へ流通する流体の流量を可変する圧力流量可変手段４９、具体的にはばね圧により流量を可変する逆止弁で構成した点のみ異なる。それ以外のものは、上記実施形態で説明した構成と同じである。
【００５４】
これにより、供給流路４３側の圧力が低い時、いわゆる暖房器５０・６０運転時には、逆止弁４９が閉じてバイパス流路４４の流量が制限されてバイパス流路４４から戻り流路４６側へ流れ込む高温水を極力少なくすることができ、１次側温水回路（３０）の図示しない貯湯槽へ戻る温水の温度を低くでき、貯湯槽に貯湯する熱源装置の沸き上げ時の成績係数（ＣＯＰ）を向上することができる。
【００５５】
また、供給流路４３側の圧力が高い時、いわゆる暖房器５０・６０の運転停止時には、逆止弁４９が開いてバイパス流路４４の流量が増えることによりバイパス流路４４から戻り流路４６側へ高温水が迂回され、２次側循環ポンプ４２を保護することができる。
【００５６】
圧力流量可変手段には、ばね圧により流量を可変する逆止弁４９を用いている。これにより、供給流路４３側の圧力に応じて戻り流路４６側へ流通する流体の流量を容易に可変することができる。また、機械的に作用するため電気制御が不要となる。
【００５７】
（その他の実施形態）
上述の実施形態では、供給熱源を貯湯式給湯装置１０からとし、１次側流体は貯湯槽１２からの高温水、その貯湯槽１２に貯湯する熱源装置にはＣＯ２冷媒を用いて超臨界ヒートポンプサイクルを構成するヒートポンプ式給湯装置１１を用いているが、本発明はこれらに限らず、高温水で２次側流体を加熱するものであればフロン冷媒を用いてヒートポンプサイクルを構成する熱源装置を適用しても良いし、ガス・石油給湯器等の熱源装置を適用しても良い。
【００５８】
また、フロースイッチ４８や水温サーミスタ４５の替わりに流量カウンタや流量計等を設け、その信号が所定閾値以上であるか否かを判定するようにしても良い。また、上述の第１実施形態でフロースイッチ４８は、バイパス流路４４よりも暖房器５０・６０寄りの戻り流路４６に設けられているが、バイパス流路４４よりも暖房器５０・６０寄りの供給流路４３に設けても良い。また、供給水路４３に一つの床暖房ユニット５０と一つの浴室暖房乾燥器６０とを接続しているが、暖房器の構成は異なるものであっても良い。
【図面の簡単な説明】
【図１】本発明の第１実施形態における多機能給湯装置の全体構成を示す模式図である。
【図２】図１の装置における温水制御装置の制御処理を示すフローチャートである。
【図３】本発明の第２実施形態における給湯式暖房装置部分の構成を示す模式図である。
【図４】図３の装置における温水制御装置の制御処理を示すフローチャートである。
【図５】本発明の第３実施形態における給湯式暖房装置部分の構成を示す模式図である。
【図６】従来の給湯式暖房装置部分の構成を示す模式図である。
【符号の説明】
２２…温水制御装置（温水制御手段）
３０…１次側温水回路
３１…暖房用熱交換器（熱交換手段）
４０…２次側流体回路
４３…供給流路
４４…バイパス流路
４５…水温サーミスタ（戻り側温度検知手段）
４７…絞り弁（流通制限手段）
４８…フロースイッチもしくは流量カウンタ（流通検出手段）
４９…逆止弁（圧力流量可変手段）
５０…床暖房ユニット（暖房器）
６０…浴室暖房乾燥器（暖房器）
【図１】
2004198056.tif 000003
【図２】
2004198056.tif 000004
【図３】
2004198056.tif 000005
【図４】
2004198056.tif 000006
【図５】
2004198056.tif 000007
【図６】
2004198056.tif 000008